(57)【特許請求の範囲】
【請求項１】
複数の防火区画毎に、
閉鎖型のスプリンクラーヘッドと、
防護区画の火災を検出する火災感知器と、
ピストンシリンダ機構のシリンダ室に所定の圧力の加圧水充填により弁体を閉駆動して閉鎖し、前記シリンダ室の排水により前記弁体を開駆動して開放させる主弁と、外部から開制御を受けた場合に前記シリンダ室の加圧水を排水して前記主弁を開駆動させる作動用電動弁とを備えた予作動弁装置と、
前記スプリンクラーヘッドの開放作動による前記予作動弁装置の２次側配管の減圧を検出する減圧検出器と、
前記防護区画に設けた火災感知器による火災検出、又は前記火災感知器による火災検出と前記減圧検出器による減圧検出を判別した場合に前記予作動弁装置の作動用電動弁の開制御により前記主弁を開放して前記スプリンクラーヘッドから加圧消火用水を散水させる制御部と、
を備えた消火設備に於いて、
前記作動用電動弁と前記主弁のシリンダ室との間に電動弁を設け、
前記制御部は、前記作動用電動弁の運用停止信号を検出した場合に前記電動弁を閉制御することを特徴とする消火設備。
【請求項２】
請求項１記載の消火設備に於いて、前記電動弁と前記作動用電動弁との直列接続と並列に、又は前記作動用電動弁と並列に、手動起動弁を接続したことを特徴とする消火設備。
【請求項３】
請求項１記載の消火設備に於いて、前記制御部は、前記火災感知器により火災を検出した場合に、前記電動弁の開制御を禁止することを特徴とする消火設備。
【請求項４】
複数の防火区画毎に、
閉鎖型のスプリンクラーヘッドと、
防護区画の火災を検出する火災感知器と、
ピストンシリンダ機構のシリンダ室に所定の圧力の加圧水充填により弁体を閉駆動して閉鎖し、前記シリンダ室の排水により前記弁体を開駆動して開放させる主弁と、外部から開制御を受けた場合に前記シリンダ室の加圧水を排水して前記主弁を開駆動させる作動用電動弁とを備えた予作動弁装置と、
前記スプリンクラーヘッドの開放作動による前記予作動弁装置の２次側配管の減圧を検出する減圧検出器と、
前記防護区画に設けた火災感知器による火災検出、又は前記火災感知器による火災検出と前記減圧検出器による減圧検出を判別した場合に前記予作動弁装置の作動用電動弁の開制御により前記主弁を開放して前記スプリンクラーヘッドから加圧消火用水を散水させる制御部と、
を備えた消火設備に於いて、
前記作動用電動弁と前記主弁のシリンダ室との間に、前記作動用電動弁を交換する場合に閉操作される仕切弁を設けたことを特徴とする消火設備。
【請求項５】
請求項４記載の消火設備に於いて、前記仕切弁と前記作動用電動弁との直列接続と並列に、又は前記作動用電動弁と並列に、手動起動弁を接続したことを特徴とする消火設備。
【請求項６】
請求項１又は４記載の消火設備に於いて、
前記作動用電動弁の交換を開始する場合に運用停止位置に操作し、前記交換が終了した場合に運用停止解除位置に操作する運用停止スイッチを設け、
前記制御部は、前記運用停止スイッチによる運用停止操作の入力を検出した場合に、交換する前記作動用電動弁の断線監視の禁止、交換する作動用電動弁を設けた防護区画の火災検出又は火災検出と減圧検出を判別した場合の作動用電動弁の開制御の禁止、及び前記運用停止スイッチが運用停止位置にあることを示す注意警報を行うことを特徴とする消火設備。
【請求項７】
請求項６記載の消火設備に於いて、前記制御部は、前記注意警報として、スイッチ注意灯の作動と所定時間毎の音響警報の出力を行うことを特徴とする消火設備。
【請求項８】
複数の防火区画毎に、
閉鎖型のスプリンクラーヘッドと、
防護区画の火災を検出する火災感知器と、
ピストンシリンダ機構のシリンダ室に所定の圧力の加圧水充填により弁体を閉駆動して閉鎖し、前記シリンダ室の排水により前記弁体を開駆動して開放させる主弁と、外部から開制御を受けた場合に前記シリンダ室の加圧水を排水して前記主弁を開駆動させる作動用電動弁とを備えた予作動弁装置と、
前記スプリンクラーヘッドの開放作動による前記予作動弁装置の２次側配管の減圧を検出する減圧検出器と、
前記防護区画に設けた火災感知器による火災検出、又は前記火災感知器による火災検出と前記減圧検出器による減圧検出を判別した場合に前記予作動弁装置の作動用電動弁の開制御により前記主弁を開放して前記スプリンクラーヘッドから加圧消火用水を散水させる制御部と、
を備えた消火設備に於いて、
前記作動用電動弁と前記主弁のシリンダ室との間に設けた電動弁と、
前記作動用電動弁の交換を開始する場合に運用停止位置に操作し、前記交換が終了した場合に運用停止解除位置に操作する運用停止スイッチと、
を設け
前記制御部は、前記運用停止スイッチによる運用停止操作の入力を検出した場合に前記電動弁を閉制御し、前記運用停止スイッチによる運用停止解除操の入力を検出した場合に前記電動弁を開制御することを特徴とする消火設備。
【請求項９】
請求項８記載の消火設備に於いて、
前記制御部は、前記運用停止スイッチによる運用停止操作の入力を検出した場合に、交換する前記作動用電動弁の断線監視の禁止、交換する作動用電動弁を設けた防護区画の火災検出又は火災検出と減圧検出を判別した場合の作動用電動弁の開制御の禁止、及び前記運用停止スイッチが運用停止位置にあることを示す注意警報を行うことを特徴とする消火設備。
【発明の詳細な説明】
【技術分野】
【０００１】
本発明は、火災感知器による火災検出時に予作動弁を開放して２次側配管に加圧消火用水を供給した後にスプリンクラーヘッドの作動で放水させる消火設備に関する。
【背景技術】
【０００２】
従来、スプリンクラーヘッドの破損などによる誤放水を防止する消防設備として予作動式のスプリンクラー設備が知られている。
【０００３】
予作動式スプリンクラー設備は、防護区画毎に予作動弁装置を設置しており、予作動弁装置は予作動弁として知られた主弁を備え、通常は主弁を閉駆動して加圧水が供給された１次側とスプリンクラーヘッドを接続した２次側とを切り離している。また、主弁の２次側配管には加圧消火用水を充水するか又は圧縮空気を充填している。
【０００４】
予作動弁装置は、予作動弁制御盤で火災感知器による火災発報とスプリンクラーヘッドによる減圧検出の両方を判別した場合、又は火災感知器による火災発報を判別した場合、電動弁を用いた遠隔制御弁の開制御により主弁を開駆動し、スプリンクラーヘッドから消火用水を放水させる。
【０００５】
ここで、従来の予作動弁装置に使用する主弁は、ピストンシリンダ機構により弁体を開閉駆動しており、この駆動型式として、減圧開放型と加圧開放型がある。
【０００６】
減圧開放型の主弁は、ピストンシリンダ機構のシリンダ室に所定の圧力の加圧水充填することにより弁体を閉位置に駆動して閉鎖しており、一方、シリンダ室の排水による減圧で弁体を開位置に駆動して開放するようにしている。
【０００７】
また、加圧開放型の主弁は、ピストンシリンダ機構のシリンダ室を排水側に開放した状態で弁体を閉位置に駆動して閉鎖しており、一方、シリンダ室に対する１次側の加圧水の供給により弁体を開位置に駆動して開放するようにしている。
【先行技術文献】
【特許文献】
【０００８】
【特許文献１】特開２０１２−０５５５０５号公報
【特許文献２】特開平０４−１８９３７２号公報
【特許文献３】特開平０４−２７６２７１号公報
【発明の概要】
【発明が解決しようとする課題】
【０００９】
ところで、予作動弁装置に設けた作動用電動弁は主弁を開閉駆動する遠隔制御弁として機能する重要な機器であり、作動用電動弁が正常に機能する可否かを定期点検や自動試験等により確認しており、作動用電動弁が故障した際には、速やかに新品と交換する作業を必要とする。
【００１０】
しかしながら、予作動弁装置に減圧駆動型の主弁を設けていた場合、交換のために故障した作動用電動弁を取り外すと、シリンダ室の加圧水が排水され、主弁が開駆動され、２次側に消火用水を充水してしまう。
【００１１】
このため作動用電動弁の交換作業が終了して動作を確認した後に、主弁のシリンダ室に1次側から消火用水を加圧充填して閉駆動して設備運用状態に戻す必要があり、作動用電動弁を交換をした後の復旧に手間と時間がかかる問題がある。
【００１２】
また、予作動弁制御盤は多数の防護区画に設置した予作動弁装置の監視制御を行っており、作動用電動弁を交換するために故障した作動用電動弁を取り外すと、予作動弁制御盤で断線が検出されて断線警報が不必要に出力される問題がある。
【００１３】
また、作動用電動弁の交換作業中に、その防護区画で火災が発生した場合、予作動弁制御盤は、交換作業中の作動用電動弁に開制御信号を送って動作させようとし、例えば取り外している信号線に駆動電圧が印加されることで、短絡事故を起こしたり、作業員が感電するといった不足の事態を招く恐れもある。
【００１４】
本発明は、弁部が常時充水されている作動用電動弁を交換する場合に起きる主弁の開駆動や監視制御の異常を未然に防止可能とする消火設備を提供することを目的とする。
【課題を解決するための手段】
【００１５】
（交換用の電動弁を設けた消火設備）
本発明は、
複数の防火区画毎に、
閉鎖型のスプリンクラーヘッドと、
防護区画の火災を検出する火災感知器と、
ピストンシリンダ機構のシリンダ室に所定の圧力の加圧水充填により弁体を閉駆動して閉鎖し、シリンダ室の排水により弁体を開駆動して開放させる主弁と、外部から開制御を受けた場合にシリンダ室の加圧水を排水して主弁を開駆動させる作動用電動弁とを備えた予作動弁装置と、
スプリンクラーヘッドの開放作動による予作動弁装置の２次側配管の減圧を検出する減圧検出器と、
防護区画に設けた火災感知器による火災検出、又は火災感知器による火災検出と減圧検出器による減圧検出を判別した場合に予作動弁装置の作動用電動弁の開制御により主弁を開放してスプリンクラーヘッドから加圧消火用水を散水させる制御部と、
を備えた消火設備に於いて、
作動用電動弁と主弁のシリンダ室との間に電動弁を設け、
制御部は、作動用電動弁の運用停止信号を検出した場合に電動弁を閉制御することを特徴とする。
【００１６】
（手動起動弁の接続）
ここで、電動弁と作動用電動弁との直列接続と並列に、又は作動用電動弁と並列に、手動起動弁を接続する。
【００１７】
（火災検出による電動弁の閉制御禁止）
制御部は、火災感知器により火災を検出した場合に、電動弁の開制御を禁止する。
【００１８】
（交換用仕切弁を設けた消火設備）
また、本発明の別の形態にあっては、
複数の防火区画毎に、
閉鎖型のスプリンクラーヘッドと、
防護区画の火災を検出する火災感知器と、
ピストンシリンダ機構のシリンダ室に所定の圧力の加圧水充填により弁体を閉駆動して閉鎖し、シリンダ室の排水により弁体を開駆動して開放させる主弁と、外部から開制御を受けた場合に前記シリンダ室の加圧水を排水して主弁を開駆動させる作動用電動弁とを備えた予作動弁装置と、
スプリンクラーヘッドの開放作動による予作動弁装置の２次側配管の減圧を検出する減圧検出器と、
防護区画に設けた火災感知器による火災検出、又は火災感知器による火災検出と減圧検出器による減圧検出を判別した場合に予作動弁装置の作動用電動弁の開制御により主弁を開放してスプリンクラーヘッドから加圧消火用水を散水させる制御部と、
を備えた消火設備に於いて、
作動用電動弁と主弁のシリンダ室との間に、作動用電動弁を交換する場合に閉操作される交換用仕切弁を設けたことを特徴とする。
【００１９】
ここで、交換用仕切弁と作動用電動弁との直列接続と並列に、又は作動用電動弁と並列に、手動起動弁を接続する。
【００２０】
（作動用電動弁交換中の断線監視解除、開制御禁止、注意警報）
作動用電動弁の交換を開始する場合に運用停止位置に操作する運用停止スイッチを設け、
制御部は、運用停止スイッチによる運用停止操作の入力を検出した場合に、交換する作動用電動弁の断線監視の禁止、交換する作動用電動弁を設けた防護区画の火災検出又は火災検出と減圧検出を判別した場合の作動用電動弁の開制御の禁止、及び運用停止スイッチが運用停止位置にあることを示す注意警報を行う。
【００２１】
ここで、制御部は、注意警報として、スイッチ注意灯の作動と所定時間毎の音響警報の出力を行う。
【００２２】
（運用停止スイッチによる電動弁制御）
本発明は、
複数の防火区画毎に、
閉鎖型のスプリンクラーヘッドと、
防護区画の火災を検出する火災感知器と、
ピストンシリンダ機構のシリンダ室に所定の圧力の加圧水充填により弁体を閉駆動して閉鎖し、シリンダ室の排水により弁体を開駆動して開放させる主弁と、外部から開制御を受けた場合にシリンダ室の加圧水を排水して主弁を開駆動させる作動用電動弁とを備えた予作動弁装置と、
スプリンクラーヘッドの開放作動による予作動弁装置の２次側配管の減圧を検出する減圧検出器と、
防護区画に設けた火災感知器による火災検出、又は火災感知器による火災検出と減圧検出器による減圧検出を判別した場合に予作動弁装置の作動用電動弁の開制御により主弁を開放してスプリンクラーヘッドから加圧消火用水を散水させる制御部と、
を備えた消火設備に於いて、
作動用電動弁と主弁のシリンダ室との間に設けた電動弁と、
作動用電動弁の交換を開始する場合に運用停止位置に操作し、交換が終了した場合に運用停止解除位置に操作する運用停止スイッチと、
を設け
制御部は、運用停止スイッチによる運用停止操作の入力を検出した場合に電動弁を閉制御し、運用停止スイッチによる運用停止解除操作の入力を検出した場合に電動弁を開制御することを特徴とする。
【００２３】
（作動用電動弁交換中の断線監視解除、開制御禁止、注意警報）
制御部は、運用停止スイッチによる運用停止操作の受付けを検出した場合に、交換する作動用電動弁の断線監視の禁止、交換する作動用電動弁を設けた防護区画の火災検出又は火災検出と減圧検出を判別した場合の作動用電動弁の開制御の禁止、及び運用停止スイッチが運用停止位置にあることを示す注意警報を行う。
【発明の効果】
【００２４】
（交換用の電動弁を設けた消火設備の効果）
本発明は、複数の防火区画毎に、閉鎖型のスプリンクラーヘッドと、  防護区画の火災を検出する火災感知器と、ピストンシリンダ機構のシリンダ室に所定の圧力の加圧水充填により弁体を閉駆動して閉鎖し、シリンダ室の排水により弁体を開駆動して開放させる主弁と、外部から開制御を受けた場合にシリンダ室の加圧水を排水して主弁を開駆動させる作動用電動弁とを備えた予作動弁装置と、スプリンクラーヘッドの開放作動による予作動弁装置の２次側配管の減圧を検出する減圧検出器と、防護区画に設けた火災感知器による火災検出、又は火災感知器による火災検出と減圧検出器による減圧検出を判別した場合に予作動弁装置の作動用電動弁の開制御により主弁を開放してスプリンクラーヘッドから加圧消火用水を散水させる制御部とを備えた消火設備に於いて、作動用電動弁と主弁のシリンダ室との間に電動弁を設け、制御部は、作動用電動弁の運用停止信号を検出した場合に電動弁を閉制御するようにしたため、交換に先立ち制御部の遠隔操作により電動弁を閉制御して閉じておくことで、故障した作動用電動弁を取り外してもシリンダ室の加圧水は排水されることがなく、作動用電動弁の交換作業に伴う主弁の開放誤動作を確実に防止して開放誤動作に対する復旧作業を不要とし、作動用電動弁の交換作業の負担を低減可能とする。
【００２５】
（手動起動弁の接続による効果）
ここで、電動弁と作動用電動弁との直列接続と並列に、又は作動用電動弁と並列に、手動起動弁を接続するようにしたため、特に電動弁と作動用電動弁との直列接続と並列に手動起動弁を接続している場合には、作動用電動弁の交換中であっても、手動起動弁を開操作することでシリンダ室からの排水により主弁を開駆動可能とし、作動用電動弁の交換中に、その防護区画で、万一、火災が発生した場合に、予作動弁装置側の手動起動弁の開操作で作動したスプリンクラーヘッドからの散水による消火を可能とする。
【００２６】
（火災検出による電動弁の閉制御禁止による効果）
また、制御部は、火災感知器により火災を検出した場合に、電動弁の開制御を禁止するようにしたため、火災による作動用電動弁の開制御により主弁を確実に開駆動してスプリンクラーヘッドから加圧消火用水を散水して消火可能とする。
【００２７】
（交換用の仕切弁を設けた消火設備）
また、本発明の別の形態にあっては、複数の防火区画毎に、閉鎖型のスプリンクラーヘッドと、防護区画の火災を検出する火災感知器と、ピストンシリンダ機構のシリンダ室に所定の圧力の加圧水充填により弁体を閉駆動して閉鎖し、シリンダ室の排水により弁体を開駆動して開放させる主弁と、外部から開制御を受けた場合に前記シリンダ室の加圧水を排水して主弁を開駆動させる作動用電動弁とを備えた予作動弁装置と、スプリンクラーヘッドの開放作動による予作動弁装置の２次側配管の減圧を検出する減圧検出器と、防護区画に設けた火災感知器による火災検出、又は火災感知器による火災検出と減圧検出器による減圧検出を判別した場合に予作動弁装置の作動用電動弁の開制御により主弁を開放してスプリンクラーヘッドから加圧消火用水を散水させる制御部とを備えた消火設備に於いて、作動用電動弁と主弁のシリンダ室との間に、作動用電動弁を交換する場合に閉操作される仕切弁を設けるようしたため、交換に先立ち現場操作として電動弁を閉操作して閉じておくことで、故障した作動用電動弁を取り外してもシリンダ室の加圧水は排水されることがなく、作動用電動弁の交換作業に伴う主弁の開放誤動作を確実に防止して開放誤動作に対する復旧作業を不要とし、作動用電動弁の交換作業の負担を低減可能とする。
【００２８】
（手動起動弁の接続による効果）
ここで、仕切弁と作動用電動弁との直列接続と並列に、又は作動用電動弁と並列に、手動起動弁を接続するようにしたため、特に仕切弁と作動用電動弁との直列接続と並列に手動起動弁を接続している場合には、作動用電動弁の交換中であっても、手動起動弁を開操作することでシリンダ室からの排水により主弁を開駆動可能とし、作動用電動弁の交換中に、その防護区画で、万一、火災が発生した場合に、予作動弁装置側の手動起動弁の開操作で作動したスプリンクラーヘッドかの散水による消火を可能とする。
【００２９】
（作動用電動弁交換中の断線監視解除、開制御禁止、注意警報による効果）
また、作動用電動弁の交換を開始する場合に運用停止位置に操作する運用停止スイッチを設け、制御部は、運用停止スイッチによる運用停止操作の入力を検出した場合に、交換する作動用電動弁の断線監視の禁止、交換する作動用電動弁を設けた防護区画の火災検出又は火災検出と減圧検出を判別した場合の作動用電動弁の開制御の禁止、及び運用停止スイッチが運用停止位置にあることを示す注意警報を行うようにしたため、作動用電動弁の交換作業に先立ち制御部の運用停止スイッチを運用停止位置に操作しておくことで、作動用電動弁を取り外しても断線警報は不必要に出力されず，また、作動用電動弁を交換している防護区画で火災が発生しても交換中の作動用電動弁に開制御信号が不必要に出力されることを確実に防止可能とし、更に、運用停止スイッチが運用停止位置にあることを示す注意警報として、スイッチ注意灯の作動と所定時間毎の音響警報の出力することで、作動用電動弁が交換作業中にあることが分かり、また、交換作業が終了した後の運用停止スイッチの戻し忘れを防止可能とする。
【００３０】
（運用停止スイッチによる電動弁制御の効果）
本発明は、複数の防火区画毎に、閉鎖型のスプリンクラーヘッドと、防護区画の火災を検出する火災感知器と、ピストンシリンダ機構のシリンダ室に所定の圧力の加圧水充填により弁体を閉駆動して閉鎖し、シリンダ室の排水により弁体を開駆動して開放させる主弁と、外部から開制御を受けた場合にシリンダ室の加圧水を排水して主弁を開駆動させる作動用電動弁とを備えた予作動弁装置と、スプリンクラーヘッドの開放作動による予作動弁装置の２次側配管の減圧を検出する減圧検出器と、防護区画に設けた火災感知器による火災検出、又は火災感知器による火災検出と減圧検出器による減圧検出を判別した場合に予作動弁装置の作動用電動弁の開制御により主弁を開放してスプリンクラーヘッドから加圧消火用水を散水させる制御部とを備えた消火設備に於いて、作動用電動弁と前記主弁のシリンダ室との間に設けた電動弁と、作動用電動弁の交換を開始する場合に運用停止位置に操作し、交換が終了した場合に運用停止解除位置に操作する運用停止スイッチとを設け、制御部は、運用停止スイッチによる運用停止操作の入力を検出した場合に電動弁を閉制御し、運用停止スイッチによる運用停止解除操作の入力を検出した場合に電動弁を開制御するようにしたため、運用停止スイッチの運用停止位置への操作により電動弁を閉制御して、交換作業に伴う主弁の開放誤動作を確実に防止し、また、運用停止スイッチの運用停止解除位置への操作により電動弁を開制御し、交換作業の終了に伴う電動弁の復旧忘れを防止可能とする。
【図面の簡単な説明】
【００３１】
【図１】予作動式の消火設備の概略を示した説明図
【図２】交換用電動弁を設けた予作動弁装置の実施形態を示した説明図
【図３】予作動弁制御盤における機能構成を示したブロック図
【図４】作動用電動弁の交換に伴う予作動弁制御盤の監視制御を示したフローチャート
【図５】交換用仕切弁を設けた予作動弁装置の実施形態を示した説明図
【図６】交換用電動弁を設けた予作動弁装置の他の実施形態を示した説明図
【図７】交換用仕切弁を設けた予作動弁装置の他の実施形態を示した説明図
【発明を実施するための形態】
【００３２】
［予作動スプリンクラー消火設備の概要］
図１は予作動スプリンクラー消火設備の概略を示した説明図であり、湿式予作動スプリンクラー消火設備を例にとっている。
【００３３】
図１に示すように、建物の地下階などのポンプ室には消火ポンプ１０を設置し、モータ１２により駆動する。モータ１２はポンプ制御盤１４により起動・停止の運転制御を受ける。モータ１２により駆動された消火ポンプ１０は水源水槽１５からの消火用水を吸入し、建物の高さ方向に配置した給水本管１６に加圧消火用水を供給する。なお、以下の説明では、加圧消火用水を単に加圧水とする場合がある。
【００３４】
消火ポンプ１０に対しては呼水槽１７を設ける。また消火ポンプ１０の起動に使用する圧力タンク１８を設ける。圧力タンク１８は給水本管１６に接続し、配管内の加圧消火用水を導入して内部の空気を圧縮している。圧力タンク１８には圧力スイッチ２０を設け、圧力スイッチ２０は給水本管１６の管内圧力が規定圧力以下に低下した減圧を検出してポンプ制御盤１４に減圧検出信号を出力し、これによってモータ１２を駆動して消火ポンプ１０を起動する。
【００３５】
給水本管１６からは建物の例えば階別の防護区画毎に分岐管２２を引き出している。例えば図示の防護区画Ａ１に引き出した分岐配管２２の分岐部分には予作動弁装置２４を設け、中継器３４を介して予作動弁制御盤３６との間を信号線接続している。予作動弁装置２４の２次側の分岐配管２２には閉鎖型のスプリンクラーヘッド２６を設け、２次側配管内には加圧消火用水を充水している。
【００３６】
またスプリンクラーヘッド２６を設置した防護区画には火災感知器３５を設置し、火災感知器３５からの感知器線を、自火報受信機３８を介して予作動弁制御盤３６に接続している。分岐配管２２の末端側には末端試験弁２８を設け、その２次側を、オリフィス３０を介して排水配管３２に接続している。
【００３７】
［予作動弁装置の構成］
図２は交換用電動弁を設けた予作動弁装置の実施形態を示した説明図である。図２に示すように、予作動弁装置２４は予作動弁として機能する減圧開放型の主弁４２を備えている。主弁４２の１次側には手動操作により開閉する制御弁４０を設け、ポンプ設備から分岐配管２２により加圧消火用水の供給を受けている。主弁４２の２次側の分岐配管２２は防護区画に引き出され、そこに閉鎖型のスプリンクラーヘッド２６を接続している。
【００３８】
主弁４２は通常状態で閉鎖しており、その２次側の分岐配管２２には充水弁５６を開いて１次側から供給した加圧水を充填している。
【００３９】
主弁４２は開閉駆動機構として、シリンダ室４４の中に弁体を兼ねたピストン４６を、リターンスプリング４８を介して摺動自在に配置したピストンシリンダ機構を設けている。設備の使用を開始する場合や火災鎮火に対し設備を復旧する場合、シリンダ室４４に１次側の加圧水を、仕切弁６８、オリフィス７０、逆止弁７２を通る経路で充水し、シリンダ室４４の圧力を所定圧力に保つことでピストン４６をストロークして弁座４５に押し当てて弁閉鎖状態としている。
【００４０】
主弁４２の開放は作動用電動弁５０により行う。作動用電動弁５０はシリンダ室４４をドレイン（排水）に接続する経路に設けており、通常は閉鎖している。作動用電動弁５０には例えばリミットスイッチを用いた開閉検出器５２を設け、全開又は全閉を検出可能としている。また、作動用電動弁５０と並列に手動起動弁５４を接続し、手動起動弁５４を開操作することで、現場での主弁４２の開閉駆動を可能としている。
【００４１】
２次側の分岐配管２２に接続しているスプリンクラーヘッド２６が火災による熱気流を受けて開放すると、開放したスプリンクラーヘッド２６からの放水を開始する。このとき主弁４２の２次側に設けている減圧検出器６０によりスプリンクラーヘッド２６の作動による減圧を検出し、減圧検出信号を図１の予作動弁制御盤３６に送って主弁４２の作動を表示させる。
【００４２】
図１に示した予作動弁制御盤３６は、例えば防護区画に設置した火災感知器３５による火災検出と減圧検出器６０による減圧検出を判別した場合、作動用電動弁５０に開制御信号を中継器３４を介して送って開制御する。
【００４３】
作動用電動弁５０を開制御すると、シリンダ室４４の加圧水が開放した作動用電動弁５０を通って排水され、シリンダ室４４の圧力が減圧し、１次側からの押圧をピストン４６が受けてリターンスプリング４８に抗してストロークし、主弁４２を開駆動し、開放したスプリンクラーヘッド２６に加圧消火用水を送って放水させる。
【００４４】
またスプリンクラーヘッド２６が開放して放水を開始すると、その１次側の分岐配管２２を介して給水本管１６の圧力が低下し、この減圧を図１の圧力タンク１８に設けている圧力スイッチ２０で検出して、ポンプ制御盤１４が消火ポンプ１０を始動して継続的に加圧水を供給して放水する。
【００４５】
また、主弁４２の開放による２次側への流水は流水検出器６２で検出する。流水検出器６２に対しては、主弁４２の弁座４５の弁体シート面に開口した開口穴からの配管を接続し、オリフィス６４及び逆止弁６６を介してドレイン側に接続している。
【００４６】
主弁４２がピストン４６のストロークにより開放すると、弁座４５からピストン４６が離れることで、流水検出器６２への配管に１次側の加圧水を供給し、これによって所定時間の遅延タイマ分継続して水圧が加わったときに流水検出器６２が作動し、流水検出信号を図１の予作動弁制御盤３６に出力して放水表示を行う。このとき流水検出器６２に加わる加圧水はオリフィス６４及び逆止弁６６を通って排水側に流れる。
【００４７】
（交換用電動弁の設置）
図２に示す予作動弁装置２４にあっては、作動用電動弁５０と主弁４２のシリンダ室４４を結ぶ配管に交換用電動弁７４を設け、中継器３４を介して図１に示した予作動弁制御盤３６からの信号線を接続している。交換用電動弁７４は通常は開放しており、作動用電動弁５０が故障して交換する際に、図１の予作動弁制御盤３６での操作に基づく閉制御信号を受けて閉制御し、故障した作動用電動弁５０を新品と交換するために取り外しても、シリンダ室４４の加圧水が作動用電動弁５０を取り外した配管部分から排出されて閉駆動されることを阻止する。
【００４８】
また、交換用電動弁７４には例えばリミットスイッチを用いた開閉検出器７６を設け、全開又は全閉を検出可能としている。
【００４９】
また、交換用電動弁７４と作動用電動弁５０の直列接続に対し手動起動弁５４を並列接続しており、交換用電動弁７４を閉制御した状態で故障した作動用電動弁５０を取り外した状態であっても、必要に応じて手動起動弁５４を開操作することで、シリンダ室４４の加圧水を排水して主弁４２を開駆動可能としている。
【００５０】
［予作動弁制御盤］
（予作動弁制御盤の構成）
図３は予作動弁制御盤の機能構成を予作動弁装置と共に示したブロック図である。図３に示すように、管理人室等に設置した予作動弁制御盤３６に対しては中継器３４を介して防護区画Ａ１〜Ａｎ毎に設置した予作動弁装置２４を信号線接続している。
【００５１】
予作動弁装置２４は、図２の予作動弁装置２４に設けている作動用電動弁５０、開閉検出器５２、交換用電動弁７４、開閉検出器７６、減圧検出器６０、流水検出器６２及び主弁４２を機能ブロックとして取り出して示している。
【００５２】
また、防護区画Ａ１〜Ａｎ毎に設置した火災感知器３５は自火報受信機３８に接続し、火災感知器３５の火災発報による火災信号を自火報受信機３８で受信して火災警報を出力すると共に火災を検出した防護区画Ａｉを示す火災信号を予作動弁制御盤３６に出力する。
【００５３】
予作動弁制御盤３６は、制御部１００、操作部１０２、表示部１０４、警報部１０６及び移報部１０８を備える。
【００５４】
制御部１００は、例えばプログラムの実行により実現される機能であり、ハードウェアとしてはＣＰＵ、メモリ、各種の入出力ポート等を備えたコンピュータ回路等を使用する。
【００５５】
操作部１０２は、予作動弁制御盤３６の制御動作に必要な各種の操作スイッチを設けており、更に、本実施形態では交換用電動弁７４を設けたことに伴い、新たに運用停止スイッチ１１０を設けている。運用停止スイッチ１１０は、故障した作動用電動弁５０を交換するために交換用電動弁７４に閉制御信号を送って閉鎖した場合に、運用停止位置に操作することで、制御部１００に作動用電動弁５０の交換作業中にあることを認識させる。
【００５６】
表示部１０４は、予作動弁制御盤３６の制御動作に必要な各種の表示器や表示灯を設けている。表示部１０４に設けた表示灯の中には、操作部１０２に設けている複数のスイッチの何れかが定位にない場合に、これを代表表示するスイッチ注意灯を設けており、操作部１０２に設けた運用停止スイッチ１１０を運用停止位置に操作した場合にも、スイッチ注意灯を点灯又は点滅する。また、表示部１０４には、作動用電動弁５０及び交換用電動弁７４の開閉を示す表示器を設け、遠隔的に行う開閉動作を確認可能としている。
【００５７】
警報部１０６は火災警報、障害警報を音響出力するスピーカなどを設けている。また、警報部１０６は、操作部１０２に設けた運用停止スイッチ１１０を運用停止位置に操作した場合、運用停止スイッチ１１０が運用停止位置に切り替わっていることを示す注意警報を音声警報として、所定の時間間隔で繰り返し出力する。
【００５８】
移報部１０８は自火報受信機３８を信号線接続しており、自火報受信盤３６から防護区画Ａ１〜Ａｎに設置した火災感知器３５による防護区画を示す火災信号を移報受信可能としている。
【００５９】
（予作動弁制御盤の制御機能）
予作動弁制御盤３６の制御部１００は、例えばダブルインターロック制御として、防護区画Ａ１〜Ａｎ毎に、火災感知器３５による火災検出と減圧検出器６０による減圧検出の両方を判別した場合に、予作動弁装置２４に設けた作動用電動弁５０に開制御信号を出力して遠隔的に開制御し、これに伴い予作動弁として機能する主弁４２を開駆動し、スプリンクラーヘッド２６の開放作動に伴う加圧消火用水の放水を可能とする制御を行う。
【００６０】
また、制御部１００は、別の制御として、火災感知器３５による火災検出ができない障害検出、例えば伝送障害、断線、短絡、運用停止、商用電源断などの障害検出と減圧検出器６０による減圧検出の両方を判別した場合に、作動用電動弁５０に開制御信号を出力して開制御し、これにより主弁４２を開駆動し、スプリンクラーヘッド２６の開放動作に伴う加圧消火用水の放水を可能とする制御を行う。
【００６１】
（作動用電動弁の交換に伴う予作動弁制御盤の制御機能）
予作動弁制御盤３６の制御部１００は、例えば防護区画Ａ１の作動用電動弁５０が故障して交換する場合を例にとると、操作部１０２による防護区画Ａ１を指定した交換用電動弁７４の開操作の受付けを検出した場合、防護区画Ａ１の交換用電動弁７４に閉制御信号を出力して閉鎖させる制御を行う。これにより図２に示すように、故障した作動用電動弁５０を取り外しても、シリンダ室４４の加圧水は排出されず、主弁４２の開駆動を防止する。
【００６２】
また、制御部１００は、操作部１０２による防護区画Ａ１を指定した交換用電動弁７４の開操作の受付けを検出したときに、火災感知器３５により火災を検出した場合は、交換用電動弁７４の開制御を禁止する制御を行い、火災検出により作動用電動弁５０を開制御することで主弁４２を確実に開駆動してスプリンクラーヘッド２６からの加圧消火用水の放水を可能とする。
【００６３】
また、制御部１００は、防護区画Ａ１の作動用電動弁５０の交換に伴い、操作部１０２に設けた運用停止スイッチ１１０による運用停止操作の受付けを検出した場合、表示部１０４に指示してスイッチ注意灯を点灯又は点滅させ、また、警報部１０６に指示して運用停止スイッチ１１０が運用停止位置にあることを示す所定の音声警報又は音響警報を一定時間毎に繰り返し出力させる制御を行う。このため、予作動弁制御盤３６側で担当者は運用停止スイッチ１１０を運用停止位置に操作していることを簡単且つ確実に認識可能となり、作動用電動弁５０の交換作業が終了した場合の運用停止スイッチ１１０の戻し忘れを防止可能とする。
【００６４】
また、制御部１００は、操作部１０２に設けた運用停止スイッチ１１０による運用停止操作の入力を検出した場合、防護区画Ａ１に設けた作動用電動弁５０の断線監視を解除するか、断線を検出しても断線警報を出さないようにする制御を行う。このため、故障した作動用電動弁５０の交換作業で予作動弁制御盤３６からの信号線を取り外して断線状態としても、予作動弁制御盤３６から断線警報が出されることはない。
【００６５】
また、制御部１００は、操作部１０２に設けた運用停止スイッチ１１０による運用停止操作の受付けを検出した場合、例えば防護区画Ａ１に設けた火災感知器３５による火災検出と減圧検出器６０による減圧検出の両方を判別しても、作動用電動弁５０に対する開制御信号の出力を禁止する制御を行う。このため作動用電動弁５０の交換作業中に、予作動弁制御盤３６からの信号線に開制御信号の信号電圧を加えることがなく、短絡事故や感電事故を確実に防止可能とする。
【００６６】
なお、制御部１００は、運用停止スイッチ１１０による運用停止操作の入力を検出した場合に交換用電動弁７４を閉制御し、運用停止スイッチ１１０による運用停止解除操作の受付けを検出した場合に交換用電動弁７４を開制御するようにしても良い。
【００６７】
この制御により、運用停止スイッチ１１０の運用停止位置への操作により交換用電動弁７４を閉制御して、交換作業に伴う主弁４２の開放誤動作を確実に防止し、また、運用停止スイッチ１１０の運用停止解除位置への操作により交換用電動弁７４を開制御し、交換作業の終了に伴う交換用電動弁７４の復旧忘れを防止可能とする。
【００６８】
（作動用電動弁の交換に伴う制御動作）
図４は作動用電動弁の交換に伴う予作動弁制御盤の監視制御を示したフローチャートである。
【００６９】
図４において、予作動弁制御盤３６の制御部１００は、操作部１０２の操作に基づき、ステップＳ１（以下「ステップ」は省略）で、操作部１０２で指定した防護区画の交換用電動弁７４に閉制御信号を出力して閉制御し、開閉検出器７６による閉検出信号を受信した場合に閉制御信号の出力を停止する。
【００７０】
続いてＳ２で運用停止スイッチ１１０のオン操作となる運用停止操作による入力を検出すると、Ｓ３でスイッチ注意灯を点灯し、また、一定間隔で注意警報音の出力を繰り返す。
【００７１】
続いてＳ４で作動用電動弁５０に対する信号線の取り外しで断線を検出し、Ｓ５で交換中の防護区画であることを検出するとＳ６に進んで断線警報を禁止し、一方、交換中の防護区画でなければＳ７に進んで断線警報を出力する。
【００７２】
また、Ｓ８で防護区画の火災検出と減圧検出を判別した場合、Ｓ９で交換中の防護区画であることを検出するとＳ１０に進んで作動用電動弁５０の開制御を禁止し、一方、交換中の防護区画でなければＳ１１に進んで作動用電動弁５０の開制御を行う。
【００７３】
続いて、Ｓ１２で運用停止スイッチ１１０のオフ操作となる運用停止解除操作の入力を検出すると、作動用電動弁５０の交換作業が完了したと判断してＳ１３に進み、交換用電動弁７４を開制御し、また、Ｓ１４でスイッチ注意灯を消灯すると共に断線警報禁止を解除する復旧処理を行って通常の監視制御に移行する。
【００７４】
［交換用仕切弁を用いた予作動弁装置］
図５は交換用仕切弁を設けた予作動弁装置の実施形態を示した説明図である。図５に示すように、本実施形態の予作動弁装置２４は、作動用電動弁５０と主弁４２のシリンダ室４４を結ぶ配管に交換用仕切弁７８を設け、手動操作により開閉可能としている。
【００７５】
交換用仕切弁７８は通常は開放位置に操作しており、作動用電動弁５０が故障して交換する際に閉鎖位置に操作し、これにより故障した作動用電動弁５０を新品と交換するために取り外しても、シリンダ室４４の加圧水が作動用電動弁５０を取り外した配管部分から排出されて閉駆動されることを阻止する。
【００７６】
また、交換用仕切弁７８には例えばリミットスイッチを用いた開閉検出器８０を設け、全開又は全閉を検出し、予作動弁制御盤３６の表示部に開閉状態を表示させている。
【００７７】
また、交換用仕切弁７８と作動用電動弁５０の直列接続に対し手動起動弁５４を並列接続しており、交換用仕切弁７８を閉操作した状態で故障した作動用電動弁５０を取り外した状態であっても、必要に応じて手動起動弁５４を開操作することで、シリンダ室４４の加圧水を排水して主弁４２を開駆動可能としている。
【００７８】
それ以外の予作動弁装置２４の構成及び機能は図２の実施形態と同じになることから、同じ符号を付してその説明を省略する。
【００７９】
また、図３に示した予作動制御盤３６の制御部１００による制御は、交換用電動弁７４の開制御と閉制御を除いた制御機能と同じになる。これに対応して図４の予作動弁制御盤の監視制御を示したフローチャートは、Ｓ１及びＳ１３を除いたと同じ制御となる。
【００８０】
このように手動操作により開閉する交換用仕切弁７８を設けたことで、現場での開閉操作となるが、交換用電動弁に比べ、設備構成を簡単にしてコストを低減できる。
【００８１】
［交換用電動弁を用いた予作動弁装置の他の実施形態］
図６は交換用電動弁を設けた予作動弁装置の他の実施形態を示した説明図である。図６に示すように、本実施形態は、作動用電動弁５０と並列に手動起動弁５４を接続しており、これとシリンダ室４４の間の配管に交換用電動弁７４を設けたことを特徴とし、それ以外の構成及び制御機能は図２の実施形態と同じになる。
【００８２】
本実施形態にあっては、作動用電動弁５０と手動起動弁５４の並列接続が従来装置と同じであり、この部分を変更することなく、シリンダ室４４との間の配管に交換用電動弁７４を設ければよく、交換用電動弁７４を設けるための設備変更が簡単となり、例えば既設装置の改修などが簡単且つ容易にできる。更に、手動起動弁５４も交換容易となる。
【００８３】
［交換用仕切弁を用いた予作動弁装置の他の実施形態］
図７は交換用仕切弁を設けた予作動弁装置の他の実施形態を示した説明図である。図７に示すように、本実施形態は、作動用電動弁５０と並列に手動起動弁５４を接続しており、これとシリンダ室４４の間の配管に交換用仕切弁７８を設けたことを特徴とし、それ以外の構成及び制御機能は図５の実施形態と同じになる。
【００８４】
本実施形態にあっても、作動用電動弁５０と手動起動弁５４の並列接続は、従来装置と同じであり、この部分を変更することなく、シリンダ室４４との間の配管に交換用仕切弁７８を設ければよく、交換用仕切弁７８を設けるための設備変更が簡単となり、例えば既設装置の改修などが簡単且つ容易にできる。更に、手動起動弁５４も交換容易となる。
【００８５】
［本発明の変形例］
（交換用電磁弁）
図２及び図５の実施形態では、モータ駆動により開閉する交換用電動弁７４を用いた場合を例にとっているが、オンオフ的な開閉動作を行う電磁弁を用いるようにしても良い。電磁弁はソレノイドに対する通電により開放し、通電を切ることで閉鎖することができ、モータ駆動を行う電動弁に比べ、コスト的に安価であり、また耐久性も高いといえる。
【００８６】
（その他）
また本発明はその目的と利点を損なうことのない適宜の変形を含み、更に上記の実施形態に示した数値による限定は受けない。
【符号の説明】
【００８７】
１０：消火ポンプ
１２：モータ
１４：ポンプ制御盤
１６：給水本管
１８：圧力タンク
２０：圧力スイッチ
２４：予作動弁装置
２６：スプリンクラーヘッド
２８：末端試験弁
３５：火災感知器
３６：予作動弁制御盤
３８：自火報受信機
４２：主弁
４４：シリンダ室
４６：ピストン
４８：リターンスプリング
５０：作動用電動弁
５２，７６，８０：開閉検出器
５４：手動起動弁
６０：減圧検出器
６２：流水検出器
７４：交換用電動弁
７８：交換用仕切弁
１００：制御部
１１０：運用停止スイッチ
【図１】
0006374286.tif 000002
【図２】
0006374286.tif 000003
【図３】
0006374286.tif 000004
【図４】
0006374286.tif 000005
【図５】
0006374286.tif 000006
【図６】
0006374286.tif 000007
【図７】
0006374286.tif 000008